(57)【要約】【課題】筐体の裏面側にセンサを容易に配設できて、センサの検出機能も確保できる照明装置を提供する。【解決手段】照明装置10は、光源12、筐体11、およびセンサ17を有する。筐体11は、照射開口21、この照射開口21に対向して設けられ光源12を取り付ける光源取付部22、この光源取付部22から照射開口21へ向けて拡開傾斜する傾斜部23、およびこの傾斜部23に設けられたセンサ孔26を有する。センサ17は、傾斜部23の裏面側に沿って傾斜状に配設され、センサ孔26から照射開口21に対向する。【選択図】図１
2017059494.tif 000002
【特許請求の範囲】
【請求項１】
光源と；
照射開口、この照射開口に対向して設けられ前記光源を取り付ける光源取付部、この光源取付部から照射開口へ向けて拡開傾斜する傾斜部、およびこの傾斜部に設けられたセンサ孔を有する筐体と；
前記傾斜部の裏面側に沿って傾斜状に配設され、前記センサ孔から前記照射開口に対向するセンサと；
を具備することを特徴とする照明装置。
【請求項２】
前記センサのセンサ軸は、前記光源の光軸の方向に向けられている
ことを特徴とする請求項１記載の照明装置。
【請求項３】
前記筐体の前記照射開口を閉塞する透光カバーを具備する
ことを特徴とする請求項１または２記載の照明装置。
【発明の詳細な説明】
【技術分野】
【０００１】
本発明の実施形態は、センサを備えた照明装置に関する。
【背景技術】
【０００２】
従来、例えば天井直付形の照明装置においては、金属製の筐体を用い、筐体の表面側に光源が配設され、筐体の裏面側に端子台や電源回路などが配設されている。
【０００３】
このような照明装置において、例えば人感センサや照度センサなどのセンサを用い、センサによる検出に基づいて光源を制御することがある。
【０００４】
センサは筐体の裏面側に配設することになるが、筐体の裏面側には限られたスペースしかない場合もあり、筐体の裏面側にセンサを容易に配設できて、センサの検出機能も確保できるようにするのが難しいことがある。
【０００５】
また、センサは、筐体の表面でその下面側に設けられていることが多く、目立ちやすい位置にあり、意匠的に好ましいものではない。
【先行技術文献】
【特許文献】
【０００６】
【特許文献１】特開２０１５−７６３３３号公報
【発明の概要】
【発明が解決しようとする課題】
【０００７】
本発明が解決しようとする課題は、筐体の裏面側にセンサを容易に配設できて、センサの検出機能も確保できるとともに、意匠性も向上できる照明装置を提供することである。
【課題を解決するための手段】
【０００８】
実施形態の照明装置は、光源、筐体、およびセンサを有する。筐体は、照射開口、この照射開口に対向して設けられ光源を取り付ける光源取付部、この光源取付部から照射開口へ向けて拡開傾斜する傾斜部、およびこの傾斜部に設けられたセンサ孔を有する。センサは、傾斜部の裏面側に沿って傾斜状に配設され、センサ孔から照射開口に対向する。
【発明の効果】
【０００９】
本発明によれば、筐体の裏面側にセンサを容易に配設できて、センサの検出機能も確保できるとともに、意匠性も向上することが期待できる。
【図面の簡単な説明】
【００１０】
【図１】一実施形態を示す照明装置の断面図である。
【図２】同上照明装置の筐体の平面図である。
【発明を実施するための形態】
【００１１】
以下、一実施形態を、図１および図２を参照して説明する。
【００１２】
図１および図２に示すように、照明装置10は、天井面に直付設置される天井直付形照明器具である。
【００１３】
照明装置10は、筐体11を有し、この筐体11の前面側（表面側）に光源12、外カバー13、および透光カバー14がそれぞれ配設され、筐体11の裏面側に端子台15、電源部16、センサ17および取付板18がそれぞれ配設されている。
【００１４】
そして、筐体11は、金属製で、例えばアルミダイカストによって一体形成されている。筐体11は、前面中央に円形の照射開口21を有し、高さ寸法が比較的薄い円形筒状に形成されている。
【００１５】
筐体11は、中央に円板状の光源取付部22を有し、この光源取付部22の周囲から前方の照射開口21へ向けて拡開傾斜する筒状の傾斜部23が設けられ、この傾斜部23の前端側の周囲に環状の前面部24が設けられ、この前面部24の周囲から裏面側に突出する円筒状の側壁部25が設けられている。
【００１６】
傾斜部23の前面側は反射面に形成されている。傾斜部23には、傾斜部23の面に直交する方向の軸を中心としてセンサ孔26が形成されている。
【００１７】
筐体11の裏面側には、取付板18に着脱可能に取り付けられる複数の取付部27が設けられている。
【００１８】
また、光源12は、発光モジュール30によって構成されている。発光モジュール30は、基板31、この基板31の表面に形成された発光部32を有している。発光モジュール30としては、基板31の前面側に複数の発光素子としての複数の発光ダイオードを実装し、これら発光ダイオードを蛍光体層で覆ったＣＯＢ（Chip On Board）モジュールが用いられている。なお、発光素子としては、発光ダイオードを用いたＳＭＤ（Surface Mount Device）パッケージでもよいし、あるいはＥＬ素子等の他の半導体発光素子でもよい。
【００１９】
光源12は、筐体11の光源取付部22の前面側に取り付けられている。すなわち、発光モジュール30の基板31の裏面側が筐体11の光源取付部22の前面側に熱的に接触するように取り付けられている。
【００２０】
また、外カバー13は、化粧カバーであり、筐体11を覆って筐体11に取り付けられる。外カバー13は、筐体11の前面部24を覆う環状の前面カバー部35、および筐体11の側壁部25を覆う筒状の側面カバー部36を有している。前面カバー部35の中央には、照射開口21に対向する開口部37が形成され、この開口部37に透光カバー14が嵌合されている。そして、外カバー13は、筐体11に対して被着するとともに回動させることによって着脱可能に取り付けられている。
【００２１】
また、透光カバー14は、透光性および拡散性を有する例えば乳白色の樹脂材料によって円板状に形成されている。透光カバー14は、孔などがなく、平面状あるいは曲面状に形成されている。透光カバー14は、外カバー13の開口部37に嵌合され、筐体11とこの筐体11に取り付けられる外カバー13との間に挟み込まれて保持されている。したがって、透光カバー14は、筐体11の照射開口21を閉塞している。
【００２２】
また、端子台15は、筐体11の裏面側に配設されている。端子台15は、電源部16の入力側との間が内部配線によって電気的に接続されている。そして、施工時に、取付板18から筐体11内に引き込まれる電源線が端子台15に接続され、端子台15から電源部16に給電される。
【００２３】
また、電源部16は、端子台15を通じて入力される交流電源を所定の直流電源に変換して光源12に供給する。電源部16の出力部に接続された出力線40が筐体11の光源取付部22の周辺部に設けられた配線部41を貫通して光源12に電気的に接続されている。
【００２４】
電源部16は、センサ17から検出信号を入力するように、センサ17との間が信号線で電気的に接続されている。そして、電源部16は、光源12の点灯状態を制御する制御部を有している。この制御部は、センサ17から入力される検出信号に基づいて、光源12への給電を制御し、光源12の点灯、消灯あるいは調光などの点灯状態を制御する。
【００２５】
また、センサ17は、例えば、所定の検出エリア内にいる人が発する赤外線を受光して人の存在を検出する人感センサである。センサ17は、センサ素子が配設されたセンサ本体部44、およびこのセンサ本体部44から突出して光（赤外線）をセンサ素子に導く検出部としての受光部45を備えている。
【００２６】
センサ17は、筐体11の裏面側に配設されている。センサ17の受光部45は、筐体11の傾斜部23に設けられているセンサ孔26の裏面側から挿入されて、傾斜部23の前面側に突出されている。センサ本体部44は、傾斜部23の裏面側に沿って傾斜状態となるように取付部材46によって取り付けられている。
【００２７】
そして、センサ17の受光部45の先端面の検出面である受光面45aは、照射開口21およびこの照射開口21を閉塞する透光カバー14に対向され、検出エリア内にいる人が発している赤外線を受光可能としている。透光カバー14は赤外線を透光するため、透光カバー14の受光部45に対向する箇所に開口を設けていなくても、センサ17による検出には影響がない。
【００２８】
センサ17の赤外線を検出する範囲の中心軸（センサ17の受光面45aに垂直な中心軸）となるセンサ軸17aは、傾斜部23の傾斜に対応して、光源12の光軸12aに対して傾斜されている。光源12の光軸12aは、筐体11に配設された光源12である発光部32の表面中心に垂直な直下方向である。そして、センサ17のセンサ軸17aは、光源12の光軸12aの方向に向かい、光源12の光軸12aに交差する関係にある。
【００２９】
また、取付板18は、天井面にねじ止め固定される。この天井面に設置された取付板18に対して、筐体11が取付部27を介して着脱可能に取り付けられる。取付板18の中央には、天井面側からの電源線を引き込むための引き込み孔49が形成されている。
【００３０】
そして、照明装置10は、センサ17によって検出エリア内に人の存在が検出されていなければ、光源12を消灯するように制御する。
【００３１】
また、照明装置10は、検出エリア内に人が進入し、センサ17によって人の存在を検出すると、光源12を点灯するように制御する。さらに、検出エリア内から人が外れ、センサ17によって人の存在を検出しなくなると、光源12を消灯するように制御する。
【００３２】
そして、本実施形態の照明装置10では、筐体11の裏面側にセンサ17を容易に配設できて、センサ17の検出機能も確保することができる。
【００３３】
すなわち、筐体11の傾斜部23の裏面側は傾斜していることからセンサ17の配設には利用されることがないのが一般的であるが、その傾斜部23の裏面側をセンサ17の設置に利用することで、センサ17を筐体11の裏面側に容易に配設することができる。そして、センサ17を傾斜部23の裏面側に沿って傾斜状に配設することにより、センサ17のセンサ軸17aが照明装置10の直下方向の中心に向かい、照明装置10の下方にいる人の存在を検出しやすく、検出精度を高めることができる。したがって、センサ17を筐体11の裏面側に容易に配設することができて、センサ17の検出機能も確保することができる。
【００３４】
また、センサ17のセンサ軸17aは、光源12の光軸12aの方向に向かい、光源12の光軸12aに交差する関係にあり、つまり照明装置10の直下方向の中心に向かう関係にあるため、照明装置10の下方にいる人の存在を検出しやすく、検出精度を高めることができる。
【００３５】
また、センサ17の受光部32および筐体11のセンサ孔26は透光カバー14で覆われる傾斜部23に設けられていて隠蔽されるため、照明装置10の意匠性を向上できる。また、仮に、透光カバー14がない場合でも、そのセンサ孔26が筐体11の前面部24に位置する場合に比べて、傾斜部23に位置するセンサ孔26は目立たず、照明装置10の意匠性を向上できる。
【００３６】
なお、センサ17は、人感センサに限らず、例えば、照明装置10をリモコン操作するためのリモコン受信部や、照度センサなど、他のセンサ構成でもよい。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
10    照明装置
11    筐体
12    光源
12a   光軸
14    透光カバー
17    センサ
17a   センサ軸
21    照射開口
22    光源取付部
23    傾斜部
26    センサ孔
【図１】
2017059494.tif 000003
【図２】
2017059494.tif 000004